(57)【要約】【課題】  セットトップボックスと録画機器を含む録画システムにおいて、録画予約の設定をより簡便に行えるようにする。【解決手段】  録画システムは、セットトップボックス２を介して映像信号を受信するテレビジョン受像機１にビデオテープレコーダ３を組み合わせて構成される。セットトップボックス２のリモートコントローラ４にはセットトップボックス２の機器コードとビデオテープレコーダ３の機器コードを記憶させる。リモートコントローラ４で録画予約する番組の設定を行い、送信すると、セットトップボックス２に対してはその機器コードを含む視聴予約信号が送信され、ビデオテープレコーダ３に対してはその機器コードを含む録画予約信号が送信される。赤外線通信機能を備えた携帯電話機７をリモートコントローラとして使用することができる。【選択図】        図１
2007258772.tif 000002
【特許請求の範囲】
【請求項１】
セットトップボックスを介して映像信号を受信するテレビジョン受像機に録画機器を組み合わせて成る録画システムにおいて、
前記セットトップボックスと録画機器の機器コードをリモートコントローラに記憶させ、セットトップボックスに対する視聴予約信号と録画機器に対する録画予約信号を前記リモートコントローラより送信できるようにしたことを特徴とする録画システム。
【請求項２】
赤外線通信機能を備えた携帯電話機をリモートコントローラとして使用することを特徴とする請求項１に記載の録画システム。
【請求項３】
前記携帯電話機はインターネット接続機能を備え、インターネット経由でダウンロードしたデータを使用して視聴予約及び録画予約が可能であることを特徴とする請求項２に記載の録画システム。
【請求項４】
前記携帯電話機はカメラを備え、当該カメラによる撮影行為を通じて機器コードの取り込みが可能であることを特徴とする請求項２または３に記載の録画システム。
【発明の詳細な説明】
【技術分野】
【０００１】
本発明はセットトップボックスと録画機器を含む録画システムに関する。
【背景技術】
【０００２】
ケーブルテレビシステムで番組を視聴する場合、映像信号はスクランブルがかけられた状態で送られてくるので、テレビジョン受像機に入力する前にデスクランブルする必要がある。それを行うのがセットトップボックスである。そして番組の録画予約を行うときは、録画機器のリモートコントローラを操作して録画機器を録画予約設定するだけでなく、セットトップボックスのリモートコントローラも操作してセットトップボックスを視聴予約設定する必要がある。
【０００３】
上記のように２個のリモートコントローラを操って録画予約をするのは使用者にとって不便であり、その不便さを解消する対策が求められている。特許文献１にはそのような対策の一例が記載されている。それは、ビデオテープレコーダ（ＶＴＲ）の側にコンバータ（セットトップボックス）の制御コードをエミュレートする手段を設け、ＶＴＲ動作に連動してコンバータに変調した赤外光（ＩＲ）を送出し、「コンバータのリモコン」でＶＴＲ制御を行うと共にコンバータを制御するというものである。
【０００４】
上記のようなセットトップボックスと録画機器との連動制御は、最近の電子機器に備えられることが多くなっているＩＲシステム端子を用いれば比較的簡単に実現できる。これは従来技術と位置づけられるものであり、その内容を図５、６に基づき説明する。
【０００５】
図５にはテレビジョン受像機１にセットトップボックス２とビデオテープレコーダ３を接続した録画システムの構成が示されている。セットトップボックス２の正面には、セットトップボックス２のリモートコントローラ４より赤外線（ＩＲ）の信号光を受光するリモコン受光部５が設けられている。ビデオテープレコーダ３の正面には、ビデオテープレコーダ３のリモートコントローラ（図示せず）より赤外線の信号光を受光するリモコン受光部６が設けられている。
【０００６】
図６に示すのはセットトップボックス２のブロック構成図である。セットトップボックス２の全体制御を司るのは制御部１０である。制御部１０はマイクロプロセッサ（図示せず）を主たる構成要素とし、ＲＯＭ１１に記憶させた動作プログラムに基づき各部を制御する。プログラム実行中一時的に保持する必要の生じたデータはＲＡＭ１２に保存される。制御部１０の入力側には、ケーブルテレビシステムのケーブルを接続するケーブル接続端子１３がチューナ１４を介して接続され、またリモコン受光部５が接続されている。制御部１０の出力側には、音声ＤＡＣ（Digital Analog Converter）１５を介して音声出力端子１６が接続され、映像ＤＡＣ１７を介して映像出力端子１８が接続され、さらに、ＶＴＲ操作出力制御部１９を介してＩＲシステム端子２０が接続されている。ＩＲシステム端子２０には、先端にＩＲ端子２２を備えるＩＲコード２１が接続される。
【０００７】
図５に見られるように、ＩＲコード２１のＩＲ端子２２はビデオテープレコーダ３のリモコン受光部６に近接して取り付けられる。リモートコントローラ４により、セットトップボックス２に対し視聴予約の設定を行うと、ＶＴＲ操作出力制御部１９がビデオテープレコーダ３の機器コードを付加した信号を送信し、それがＩＲコード２１からＩＲ端子２２を経てリモコン受光部６に送り込まれる。これによりビデオテープレコーダ３は、セットトップボックス２が視聴予約状態になったのと連動して録画予約状態になる。
【特許文献１】特開平８−１８８１３号公報（［０００８］）
【発明の開示】
【発明が解決しようとする課題】
【０００８】
図５、６に示したようなやり方でセットトップボックスと録画機器との連動を確立するためには、まずセットトップボックスにＩＲシステム端子を設ける必要がある。しかしながらＩＲシステム端子はセットトップボックスの美観を損なうものであり、その存在が好ましいとは言えない。ＩＲコードも、付属パーツとして用意するとなればそれだけコストアップになる。さらに、セットトップボックスに録画機器の機器コードを記憶させる必要があり、その作業も一般の使用者にとっては煩わしいものであった。
【０００９】
本発明は上記問題点に鑑みなされたものであり、セットトップボックスと録画機器を含む録画システムにおいて、録画予約の設定をより簡便に行えるようにすることを目的とする。
【課題を解決するための手段】
【００１０】
（１）上記目的を達成するために本発明は、セットトップボックスを介して映像信号を受信するテレビジョン受像機に録画機器を組み合わせて成る録画システムにおいて、前記セットトップボックスと録画機器の機器コードをリモートコントローラに記憶させ、セットトップボックスに対する視聴予約信号と録画機器に対する録画予約信号を前記リモートコントローラより送信できるようにしたことを特徴としている。
【００１１】
この構成によると、単一のリモートコントローラでセットトップボックスと録画機器を操作して、簡便に録画予約を行うことができる。またＩＲシステム端子やＩＲコードが必要でなくなり、それらを省略することによりコストダウンを図ることができる。
【００１２】
（２）また本発明は、上記構成の録画システムにおいて、赤外線通信機能を備えた携帯電話機をリモートコントローラとして使用することを特徴としている。
【００１３】
この構成によると、携帯電話機本来の通信機能を活用して、携帯電話機内の制御ソフトウェアのバージョンアップや、機器コードのデータ更新などを容易に行うことができる。
また常時身に付けておける携帯電話機でセットトップボックスと録画機器を操作するので、リモートコントローラを探し回る必要がない。さらに、リモートコントローラが１個だけであると、それが故障したときに不便をかこつことになるが、家族メンバーの持つ携帯電話機の中で複数のものをリモートコントローラに設定しておけば、どれかが故障しても代替品が存在することになり、安心である。
【００１４】
（３）また本発明は、上記構成の録画システムにおいて、前記携帯電話機はインターネット接続機能を備え、インターネット経由でダウンロードしたデータを使用して視聴予約及び録画予約が可能であることを特徴としている。
【００１５】
この構成によると、多くのキーを備えられない携帯電話機でも、予約操作をきわめて簡単に行うことができる。
【００１６】
（４）また本発明は、上記構成の録画システムにおいて、前記携帯電話機はカメラを備え、当該カメラによる撮影行為を通じて機器コードの取り込みが可能であることを特徴としている。
【００１７】
この構成によると、入力ミスを犯すこともなく正確に機器コードを取り込むことができる。
【発明の効果】
【００１８】
本発明によると、単一のリモートコントローラでセットトップボックスと録画機器を操作して、簡便に録画予約を行うことができる。そしてリモートコントローラとして赤外線通信機能を備えた携帯電話機を使用することにより、手軽に録画予約の操作を行うことができる。さらに、携帯電話機の特質を生かし、制御ソフトウェアのバージョンアップや機器コードのデータ更新で機能を最新に保ったり、インターネット経由でダウンロードしたデータを使用して視聴予約及び録画予約をしたり、カメラによる撮影行為を通じて機器コードの取り込みを行ったりすることができ、録画予約作業を快適なものとすることができる。
【発明を実施するための最良の形態】
【００１９】
以下、本発明の一実施形態を図１−４に基づき説明する。図１は録画システムの概略正面図、図２はセットトップボックスのブロック構成図、図３はビデオテープレコーダのブロック構成図、図４は携帯電話機のブロック構成図である。なお各図において、図５、６の従来技術と共通する構成要素については図５、６で用いたのと同じ符号を付し、説明は省略する。
【００２０】
図１の録画システムは、テレビジョン受像機１にセットトップボックス２とビデオテープレコーダ３を接続して構成されている。リモートコントローラ４は、セットトップボックス２のリモートコントローラにもビデオテープレコーダ３のリモートコントローラにも兼用される。通常のリモートコントローラ４ばかりでなく、赤外線通信機能を備えた携帯電話機７もリモートコントローラとして使用することができる。
【００２１】
図２に示すのはセットトップボックス２のブロック構成図である。セットトップボックス２は、図６に示す従来のセットトップボックス２からＶＴＲ操作出力制御部１９、ＩＲシステム端子２０、ＩＲコード２１、及び先端にＩＲ端子２２を取り去った構成となっている。
【００２２】
図３にビデオテープレコーダ３のブロック構成を示す。ビデオテープレコーダ３の全体制御を司るのは制御部３０である。制御部３０はマイクロプロセッサ（図示せず）を主たる構成要素とし、ＲＯＭ３１に記憶させた動作プログラムに基づき各部を制御する。プログラム実行中一時的に保持する必要の生じたデータはＲＡＭ３２に保存される。制御部３０の入力側には、音声入力端子３３が音声ＡＤＣ（Analog Digital Converter）３４を介して接続され、映像入力端子３５が映像ＡＤＣ３６を介して接続され、リモコン受光部６が接続され、さらにアンテナ端子３７が接続されている。制御部３０の出力側には、音声ＤＡＣ３８を介して音声出力端子３９が接続され、映像ＤＡＣ４０を介して映像出力端子４１が接続され、さらに、ビデオテープレコーダ３の機構部分の中核であるビデオテープ録画再生部４２が接続されている。
【００２３】
図４に携帯電話機７のブロック構成を示す。携帯電話機７の構成要素の中で、電話通信部５０は後述するベースバンド部からの信号をアンテナ５１を介して基地局へ送信したり、基地局からの電波をアンテナ５１を介して受信したりする。
【００２４】
ベースバンド部５２はＣＤＭＡ処理部５３と音声コーデック５４を有する。ＣＤＭＡ処理部５３は符号分割多元接続（code division multiple access）、スクランブル、誤り制御、及びタイミング検出を行う。音声コーデック（codec）５４は音声の圧縮（符号化）、音声の伸張（復号化）、アナログとディジタルの変換などを行い、また内部の増幅回路（図示せず）により受話音量やマイクロフォンの感度を変更したりする。
【００２５】
ベースバンド部５２には切替回路５５を介してスピーカ５６、マイクロフォン５７、及び拡声スピーカ５８が接続される。スピーカ５６は耳に当てて音を聞く（「受話」）のに用いられるものであり、増幅回路５９で増幅されたベースバンド部５２の電気信号を音声に変換する。マイクロフォン５７は口元に近づけて話をする（「送話」）のに用いられるものであり、音声を電気信号に変換し、増幅回路６０で増幅してベースバンド部５２に出力する。拡声スピーカ５８は受話音を拡声して周囲の人に聞かせたるためのものであり、増幅回路６１で増幅されたベースバンド部５２の電気信号を音声に変換する。拡声スピーカ５８は着信報知の鳴動も行う。
【００２６】
スピーカ５６、マイクロフォン５７、及び拡声スピーカ５８はそれぞれ増幅回路５９、６０、６１を介して切替回路５５に接続される。切替回路５５は増幅回路５９、６０、６１とベースバンド部５２との接続を制御回路７０の制御によりＯＮ／ＯＦＦする。なお増幅回路５９、６０、６１はいずれもゲイン固定であり、受話音量やマイクロフォンの感度を変更することはできない。スピーカ５６と拡声スピーカ５８の音量調整やマイクロフォン５７の感度調整は制御部７０からの指令によりベースバンド部５２の音声コーデック５４が行う。
【００２７】
制御部７０はマイクロプロセッサ（図示せず）を主たる構成要素とし、ＲＯＭ７１に記憶させた動作プログラムに基づき各部を制御する。ＲＯＭ７１は不揮発性メモリであり、動作プログラム以外に電話帳情報や時刻情報なども記憶する。ストップウォッチの情報など、プログラム実行中一時的に保持する必要の生じたデータはＲＡＭ７２に保存される。
【００２８】
制御部７０は内部表示手段７３と外部表示手段７４を制御する。携帯電話機７の折り畳み式筐体を開かないと露出しないのが内部表示手段７３、開かなくても露出するのが外部表示手段７４で、いずれも液晶表示パネルにより構成され、電話番号その他の視覚情報を表示する。
【００２９】
制御部７０は内部表示手段７３及び外部表示手段７４の他、ＣＣＤ方式のカメラ７５と、カメラ３５のフラッシュ光源や懐中電灯代わりとして使える白色ＬＥＤのライト７６と、赤外線信号を送出するＩＲ送出手段７７とを制御対象としている。
【００３０】
制御部７０に指令を伝えるのは内部入力手段８０と外部入力手段９０である。内部入力手段８０はメインの入力手段で、筐体を折り畳んだときに内側になる面に設けられる。外部入力手段は９０はサブの入力手段であって、筐体を折り畳んでも露出したままである。
【００３１】
内部入力手段８０は各種キーにより構成される。キーには数字や文字の入力に用いるテンキー８１、通話を開始する通話キー８２、通話を終了する終了キー８３、表示画面上のカーソルを上下左右に移動させるカーソルキー８４、メールモードにするｍａｉｌキー８５、及び電話帳を操作する電話帳キー８６がある。
【００３２】
外部入力手段９０はライトキー９１とメモキー９２により構成される。ライトキー９１はカメラ７５による撮影時にライト７６にフラッシュ点灯をさせたり、ライト７６を懐中電灯代わりに点灯するのに用いる。ライトキー９１はストップウォッチモードの切り替え操作やストップウォッチのリセット操作にも用いられる。メモキー９２は音声のメモ録音操作、ストップウォッチモードの切り替え操作、ストップウォッチのスタート／ストップ操作などに用いられる。
【００３３】
続いて、本実施形態に係る録画システムの動作につき説明する。まずリモートコントローラ４にセットトップボックス２の機器コードとビデオテープレコーダ３の機器コードを記憶させる。携帯電話機７をリモートコントローラとして使用するときは携帯電話機７にセットトップボックス２の機器コードとビデオテープレコーダ３の機器コードを記憶させる。携帯電話機７の場合は、機器コードをバーコードやＱＲコードの形で用意しておき、それをカメラ７５で撮影してデータを取り込む仕組みとすることができる。
【００３４】
次に、リモートコントローラ４または携帯電話機７で録画予約する番組の設定を行う。携帯電話機７がインターネット接続機能を備えていれば、電子番組表のデータをインターネット経由でダウンロードし、それを視聴予約及び録画予約に用いる仕組みとすることができる。
【００３５】
録画予約する番組の設定が終わったら、リモートコントローラ４または携帯電話機７で「送信」に割り当てられたキーを押す。するとセットトップボックス２に対してはその機器コードを含む視聴予約信号が送信され、ビデオテープレコーダ３に対してはその機器コードを含む録画予約信号が送信される。これにより、セットトップボックス２の視聴予約設定とビデオテープレコーダ３の録画予約設定を一挙に成立させることができる。
【００３６】
以上、本発明の実施形態につき説明したが、本発明の範囲はこれに限定されるものではなく、発明の主旨を逸脱しない範囲で種々の変更を加えて実施することができる。
【産業上の利用可能性】
【００３７】
本発明はセットトップボックスと録画機器を含む録画システムに広く利用可能である。
【図面の簡単な説明】
【００３８】
【図１】本発明の実施形態に係る録画システムの概略正面図
【図２】録画システムを構成するセットトップボックスのブロック構成図
【図３】録画システムを構成するビデオテープレコーダのブロック構成図
【図４】録画システムを構成する携帯電話機のブロック構成図
【図５】従来の録画システムの概略正面図
【図６】従来の録画システムを構成するセットトップボックスのブロック構成図
【符号の説明】
【００３９】
１    テレビジョン受像機
２    セットトップボックス
３    ビデオテープレコーダ
４    リモートコントローラ
５、６  リモコン受光部
７    携帯電話機
【図１】
2007258772.tif 000003
【図２】
2007258772.tif 000004
【図３】
2007258772.tif 000005
【図４】
2007258772.tif 000006
【図５】
2007258772.tif 000007
【図６】
2007258772.tif 000008